(57)【要約】【課題】復水器の据付工期を短縮でき且つ施工品質を向上できると共に、揚重機を効率的に活用してその大型化を回避でき施工コストを低減できること。【解決手段】タービン及び発電機を設置するＴＧペデスタル１５をタービン建屋に設け、このＴＧペデスタルの内側に復水器１６を据え付ける復水器据付工法において、復水器は復水器下部本体２０と復水器上部本体２１とを有してなり、ＴＧペデスタルはペデスタル梁部１７とペデスタル脚部１８とを有してなり、復水器下部本体を分割した復水器下部本体分割部を、復水器据付現場以外の場所で予め半製品状態にモジュール化し、復水器据付現場でペデスタル脚部１８を完成した後に、モジュール化した復水器下部本体分割部を、揚重機を用いてペデスタル脚部の内側に搬入して据え付けるものである。【選択図】  図１
2013155714.tif 000002
【特許請求の範囲】
【請求項１】
タービン及び発電機を設置するペデスタルをタービン建屋に設け、このペデスタルの内側に復水器を据え付ける復水器据付工法において、
前記復水器は、冷却水が流れる冷却管を収容する冷却管収容部の下方にホットウェルが設けられた復水器下部本体と、この復水器下部本体の上部に設けられ給水加熱器を備えた復水器上部本体とを有してなり、
前記ペデスタルは、前記タービン等を搭載するペデスタル梁部と、このペデスタル梁部を支持するペデスタル脚部とを有してなり、
前記復水器下部本体を前記冷却管の長手方向に沿って分割した復水器下部本体分割部を、復水器据付現場以外の場所で予め半製品状態にモジュール化し、
前記復水器据付現場で前記ペデスタル脚部を完成した後に、モジュール化した前記復水器下部本体分割部を、揚重機を用いて前記ペデスタル脚部の内側に搬入し据え付けることを特徴とする復水器据付工法。
【請求項２】
前記復水器上部本体を、復水器据付現場以外の場所で給水加熱器と一体の状態に予めモジュール化し、
前記復水器据付現場で復水器下部本体を据え付けた後に、モジュール化した前記復水器上部本体を、揚重機を用いて搬入し前記復水器下部本体の上部に据え付けることを特徴とする請求項１に記載の復水器据付工法。
【請求項３】
前記ペデスタル梁部を復水器据付現場以外の場所で予めモジュール化し、
前記復水器据付現場で復水器上部本体を据え付けた後に、モジュール化した前記ペデスタル梁部を、揚重機を用いて搬入しペデスタル脚部の上部に据え付けることを特徴とする請求項１または２に記載の復水器据付工法。
【請求項４】
前記復水器下部本体分割部または前記復水器上部本体を、揚重機の許容荷重条件以下に調整し前記揚重機を用いて据え付けることを特徴とする請求項１乃至３のいずれか１項に記載の復水器据付工法。
【請求項５】
前記復水器据付現場以外の場所が、作業環境が安定した工場であることを特徴とする請求項１乃至４のいずれか１項に記載の復水器据付工法。
【発明の詳細な説明】
【技術分野】
【０００１】
本発明は、タービン及び発電機を設置するペデスタルの内側に復水器を据え付ける復水器据付工法に関する。
【背景技術】
【０００２】
例えば、原子力発電所のタービン建屋の建設工事においては、工期の短縮及び施工品質の確保が重要な課題となっており、この目的を達成するために、復水器を建屋内に搬入する前に複数個の半製品のモジュールとして予め組み立てておき、これらのモジュールを揚重機で一括して搬入し、復水器の据付を行う大型モジュール工法が採用されている。
【０００３】
従来の復水器据付工法においては、タービン・発電機ペデスタル（ＴＧペデスタル）の脚部の完成後に、それぞれ数十個のモジュール化されたホットウェルと下部胴を据付現場に搬入して組み立て、その後、数十個のモジュール化された上部胴を据付現場に搬入して組み立て、復水器の据付を行っていた（第１従来技術）。
【０００４】
また、特許文献１に記載の復水器の大型モジュール工法では、復水器を構成するホットウェル、下部胴及び上部胴を水平分割してそれぞれモジュール化し、これらのモジュールを据付現場に順次搬入して据え付ける復水器据付工法が開示されている（第２従来技術）。
【先行技術文献】
【特許文献】
【０００５】
【特許文献１】特開平６−１８０３８３号公報
【発明の概要】
【発明が解決しようとする課題】
【０００６】
原子力発電所のタービン建屋の建設工事において、第１及び第２従来技術のように、工期を短縮するためには、復水器の据付に関して大型モジュール工法の適用が不可欠となっているが、前記第２従来技術における復水器据付工法では、下部胴のモジュールが他のモジュールと比較して大きくて重いため、モジュール毎に重量差が大きく異なってしまう。従って、第２従来技術の復水器据付工法では、最も重いモジュールに合わせて揚重機を選定する必要があり、揚重機の効率的利用と施工コストに課題があった。
【０００７】
本発明の目的は、上述の事情を考慮してなされたものであり、復水器の据付工期を短縮でき且つ施工品質を向上できると共に、揚重機を効率的に活用してその大型化を回避でき施工コストを低減できる復水器据付工法を提供することにある。
【課題を解決するための手段】
【０００８】
本発明は、タービン及び発電機を設置するペデスタルをタービン建屋に設け、このペデスタルの内側に復水器を据え付ける復水器据付工法において、前記復水器は、冷却水が流れる冷却管を収容する冷却管収容部の下方にホットウェルが設けられた復水器下部本体と、この復水器下部本体の上部に設けられ給水加熱器を備えた復水器上部本体とを有してなり、前記ペデスタルは、前記タービン等を搭載するペデスタル梁部と、このペデスタル梁部を支持するペデスタル脚部とを有してなり、前記復水器下部本体を前記冷却管の長手方向に沿って分割した復水器下部本体分割部を、復水器据付現場以外の場所で予め半製品状態にモジュール化し、前記復水器据付現場で前記ペデスタル脚部を完成した後に、モジュール化した前記復水器下部本体分割部を、揚重機を用いて前記ペデスタル脚部の内側に搬入し据え付けることを特徴とするものである。
【発明の効果】
【０００９】
本発明によれば、復水器下部本体分割部を復水器据付現場以外の場所、例えば作業環境が安定した工場で半製品状態にモジュール化するので、復水器据付現場での作業が省力化されて復水器の据付工期を短縮できると共に、復水器下部本体の組立を復水器据付現場で実施する場合に比べて施工品質を向上できる。更に、重量の大きな復水器下部本体を分割した復水器下部本体分割部を、揚重機を用いて搬入し据え付けるので、揚重機を効率的に活用してその大型化を回避でき施工コストを低減できる。
【図面の簡単な説明】
【００１０】
【図１】本発明に係る復水器据付工法の一実施形態により据え付けられた復水器及びＴＧペデスタルを示す斜視図。
【図２】（Ａ）は図１の復水器を示す正面図、（Ｂ）は図２（Ａ）の復水器下部本体を示す側面図。
【図３】図１の復水器及びＴＧペデスタルの据付に用いられる汎用揚重機と、タービン建屋の基礎等を示す平面図。
【図４】図１の基礎に水張架台を設置した状態を示す斜視図。
【図５】図１の水張架台に復水器下部本体分割部を据え付ける状況を示す斜視図。
【図６】図５の復水器下部本体に水室などを設置する状況を示す斜視図。
【図７】図６の復水器下部本体の上部に復水器上部本体を据え付ける状況を示す斜視図。
【図８】図７の復水器上部本体の側部に連絡胴を据え付ける状況を示す斜視図。
【図９】図８の復水器上部本体の上部に接続片を据え付ける状況を示す斜視図。
【図１０】図９のペデスタル脚部に低圧タービン側ペデスタル梁部を据え付ける状況を示す斜視図。
【図１１】水張架台設置工程から低圧タービン側ペデスタル梁部設置工程までを示し、（Ａ）は本実施形態の場合を、（Ｂ）は第１従来技術の場合をそれぞれ比較して示す工程図。
【発明を実施するための形態】
【００１１】
以下、本発明を実施するための実施形態を図面に基づき説明する。
【００１２】
図１は、本発明に係る復水器据付工法の一実施形態により据え付けられた復水器及びＴＧペデスタルを示す斜視図である。タービン建屋１０（図３）内に配設される高圧タービン１１、複数台の低圧タービン１２及び発電機１３は、タービン建屋１０の基礎１４（図３）に立設されるタービン・発電機ペデスタル（ＴＧペデスタル１５と称する）に設置される。このＴＧペデスタル１５の内側に復水器１６が、各低圧タービン１２に対応して、複数台据え付けられる。
【００１３】
ＴＧペデスタル１５は、ペデスタル梁部１７と、このペデスタル梁部１７を支持するペデスタル脚部１８と、ペデスタル脚部１８間に架設された中間梁１９とを有してなる。ペデスタル梁部１７は、高圧タービン１１を搭載する高圧タービン側ペデスタル梁部１７Ａと、低圧タービン１２を搭載する低圧タービン側ペデスタル梁部１７Ｂと、発電機１３を搭載する発電機側ペデスタル梁部１７Ｃとを備える。
【００１４】
復水器１６は、図２（Ａ）に示すように、復水器下部本体２０、復水器上部本体２１、水室２２及び接続片２３を有して構成される。
【００１５】
接続片２３は、復水器上部本体２１の上部に配置されて、この復水器上部本体２１を低圧タービン１２に接続する。また、復水器上部本体２１は、復水器下部本体２０の上部に配置されて、低圧タービン１２からの蒸気を接続片２３を経て復水器下部本体２０へ導く。この復水器上部本体２１に給水加熱器２４が取り付けられて復水器上部本体２１内を流れる蒸気により給水加熱器２４内の給水が加熱される。
【００１６】
復水器下部本体２０は、冷却管収容部２５の下方にホットウェル２６が設けられたものであり、冷却管収容部２５内に直線形状に延びる冷却管２７が複数本収容される。冷却管収容部２５の両側部に水室２２が配置され、この水室２２に冷却管２７の両端が連通される。一方の水室２２から反対側の他方の水室２２へ冷却管２７を通って冷却水（循環水）が流れることで、復水器上部本体２１を経て復水器下部本体２０内に導入された蒸気が凝縮されて復水になる。この復水がホットウェル２６内に貯留される。
【００１７】
ところで、本実施形態では、復水器下部本体２０は、図２（Ｂ）に示すように、冷却管２７の長手方向に沿って複数に分割、例えば２分割され、それぞれの復水器下部本体分割部２０Ａ及び２０Ｂは、復水器据付現場以外の場所、例えば品質を確保するために作業環境が安定した工場で、半製品状態にモジュール化されて予め製作される。ここで、半製品状態とは、各復水器下部本体分割部２０Ａ、２０Ｂ内に冷却管２７が配設され、復水器据付現場で復水器下部本体分割部２０Ａと２０Ｂを結合するだけで復水器下部本体２０が完成される状態をいう。
【００１８】
また、図２（Ａ）に示す復水器上部本体２１についても、例えば品質を確保するために作業環境が安定した工場で、給水加熱器２４と一体の状態にモジュール化されて予め製作される。更に、図１に示すＴＧペデスタル１５のうち、ペデスタル梁部１７（高圧タービン側ペデスタル梁部１７Ａ、低圧タービン側ペデスタル梁部１７Ｂ及び発電機側ペデスタル梁部１７Ｃ）についても、復水器据付現場以外の場所、例えば品質を確保するために作業環境が安定した工場で予めモジュール化されて製作される。
【００１９】
次に、上述のＴＧペデスタル１５及び復水器１６の据付工法を述べる。
【００２０】
図３に示すタービン建屋１０の基礎１４が完成した後、図４に示すように、基礎１４に複数本のペデスタル脚部１８を立設し、これらのペデスタル脚部１８に中間梁１９を架設する。そして、ペデスタル脚部１８の完成後またはペデスタル脚部１８の立設作業中に、これらのペデスタル脚部１８の内側で復水器１６が設置される位置に水張架台２８を敷設する（以上、図１１（Ａ）の水張架台設置工程Ａ）。
【００２１】
この水張架台２８の設置後、図３に示すように、タービン建屋１０の近傍に設置された汎用揚重機２９を用いて、前述の如く予め工場でモジュール化して製作された復水器下部本体分割部２０Ａ及び２０Ｂを、図５に示すように水張架台２８の上部に順次懸吊して搬入し据え付ける。そして、これらの復水器下部本体分割部２０Ａ及び２０Ｂを結合することで、復水器下部本体２０の据付を完了する。尚、汎用揚重機２９は、例えばリングタイプ旋回式クレーン（Ｒｉｎｇ  Ｌｉｆｔ  Ｃｒａｎｅ：ＲＬＣ）である。
【００２２】
復水器下部本体２０の据付完了後、復水器下部本体２０及び復水器上部本体２１の側面の開口を閉塞するためのフラッシュボックス３０と、復水器下部本体２０のホットウェル２６に連通して復水を流出させるための復水器出口箱３１とをそれぞれ据え付ける（以上、図１１（Ａ）の復水器下部本体設置工程Ｂ）。
【００２３】
これらの復水器下部本体２０、フラッシュボックス３０及び復水器出口箱３１の据付完了後、図６に示すように、復水器下部本体２０の側部に、冷却管２７と連通する状態で水室２２を組み付ける。そして、水室２２の組み付け完了後、この水室２２に循環水管エキスパンション３２を取り付け、この循環水管エキスパンション３２の内側で、図示しないバタフライ弁及び循環水短管を水室２２に接続する。更に、上述の水室２２、循環水管エキスパンション３２などの設置と並行して、予め工場でモジュール化して製作された高圧タービン側ペデスタル梁部１７Ａを、汎用揚重機２９を用いて懸吊し、対応するペデスタル梁部１８に据え付ける（以上、図１１（Ａ）の水室設置工程Ｃ）。
【００２４】
水室２２及び循環水管エキスパンション３２などの設置並びに高圧タービン側ペデスタル梁部１７Ａの据付完了後、図７に示すように、予め工場で給水加熱器２４が一体に組み付けられモジュール化された復水器上部本体２１を、汎用揚重機２９を用いて懸吊して搬入し、既に据え付けられた復水器下部本体２０の上部に据え付ける。この復水器上部本体２１の据付の前もしくは後に汎用揚重機２９を用いて、または復水器上部本体２１の据付と並行して補助クレーン（不図示）などを用いて、予め工場でモジュール化して製作された発電機側ペデスタル梁部１７Ｃを懸吊して搬入し、対応するペデスタル脚部１８に据え付ける（以上、図１１（Ａ）の復水器上部本体設置工程Ｄの一部工程）。
【００２５】
一つの復水器上部本体２１の据付完了後、図８に示すように、隣接して設置される復水器１６の復水器上部本体２１どうしを連通するための連絡胴３３を、汎用揚重機２９を用いて懸吊して搬入し据え付ける。その後、互いに連通される復水器上部本体２１、連絡胴３３を、汎用揚重機２９を用いて交互に懸吊し搬入して据え付ける（以上、図１１（Ａ）の復水器上部本体設置工程Ｄの残り工程及び連絡胴設置工程Ｅ）。
【００２６】
全ての復水器上部本体２１及び連絡胴３３の設置が完了した後、図９に示すように、汎用揚重機２９を用いて接続片２３を懸吊して搬入し、この接続片２３を全ての復水器上部本体２１の上部に据え付ける（以上、図１１（Ａ）の接続片設置工程Ｆ）。
【００２７】
接続片２３の据付完了後に、図１０に示すように、予め工場でモジュール化して製作された低圧タービン側ペデスタル梁部１７Ｂを、汎用揚重機２９を用いて懸吊して搬入し、接続片２３の周囲を囲むようにして、対応するペデスタル脚部１８に据え付ける（以上、図１１（Ａ）の低圧タービン側ペデスタル梁部設置工程Ｇ）。
【００２８】
低圧タービン側ペデスタル梁部１７Ｂの据付完了により、図１に示すように、ＴＧペデスタル１５及び復水器１６の据付が完了する。このＴＧペデスタル１５及び復水器１６の据付完了後に、高圧タービン側ペデスタル梁部１７Ａに高圧タービン１１を、低圧タービン側ペデスタル梁部１７Ｂに低圧タービン１２を、発電機側ペデスタル半部１７Ｃに発電機１３をそれぞれ搭載する。
【００２９】
上述のＴＧペデスタル１５及び復水器１６の据付に際して、復水器下部本体分割部２０Ａ、２０Ｂ、復水器上部本体２１、高圧タービン側ペデスタル梁部１７Ａ、低圧タービン側ペデスタル梁部１７Ｂ、及び発電機側ペデスタル梁部１７Ｃは、汎用揚重機２９の許容荷重条件以下に調整して製作されモジュール化されたものである。
【００３０】
また、本実施形態におけるＴＧペデスタル１５及び復水器１６の据付工法では、図１１（Ａ）に示すように、水張架台設置工程Ａ、復水器下部本体設置工程Ｂ、水室設置工程Ｃ、復水器上部本体設置工程Ｄ、連絡胴設置工程Ｅ、接続片設置工程Ｆ及び低圧タービン側ペデスタル梁部設置工程Ｇまでの据付工期は、図１１（Ｂ）に示す第１従来技術における水張架台設置工程Ａから低圧タービン側ペデスタル梁部設置工程Ｇまでの据付工期に比べて、復水器下部本体設置工程Ｂ、復水器上部本体設置工程Ｄ及び低圧タービン側ペデスタル梁部設置工程Ｇにおける現地作業が省力化されることで短縮されている。
【００３１】
以上のように構成されたことから、本実施形態によれば、次の効果（１）及び（２）を奏する。
【００３２】
（１）復水器下部本体分割部２０Ａ及び２０Ｂ、復水器上部本体２１並びにペデスタル梁部１７（高圧タービン側ペデスタル梁部１７Ａ、低圧タービン側ペデスタル梁部１７Ｂ、発電機側ペデスタル梁部１７Ｃ）は、復水器据付現場以外の場所、本実施形態では作業環境が安定した工場でモジュール化して製作されている。このため、復水器下部本体２０、復水器上部本体２１及びペデスタル梁部１７の復水器据付現場での作業が省力化されてＴＧペデスタル１５及び復水器１６の据付工期を短縮できると共に（図１１（Ａ）参照）、復水器下部本体２０、復水器上部本体２１及びペデスタル梁部１７の組立を復水器据付現場で実施する場合に比べて施工品質を向上できる。
【００３３】
（２）重量の大きな復水器下部本体２０を分割した復水器下部本体分割部２０Ａ及び２０Ｂや、復水器上部本体２１、高圧タービン側ペデスタル梁部１７Ａ、低圧タービン側ペデスタル梁部１７Ｂ及び発電機側ペデスタル梁部１７Ｃは、汎用揚重機２９の許容荷重条件以下に調整して製作されモジュール化されている。このため、復水器下部本体分割部２０Ａ、２０Ｂ、復水器上部本体２１、高圧タービン側ペデスタル梁部１７Ａ、低圧タービン側ペデスタル梁部１７Ｂ及び発電機側ペデスタル梁部１７Ｃを、汎用揚重機２９を用いて搬入し据え付けることができ、従って、汎用揚重機２９を効率的に活用できると共に、汎用揚重機２９よりも許容荷重の大きな大型の揚重機が不要になる。更に、復水器１６を略完成させた状態として搬入する際に用いられる専用の仮設物（資機材や補助クレーンなど）が不要となる。これらの結果、施工コストを低減できる。
【００３４】
以上実施形態について説明してきたが、本発明は、上述のような実施形態の具体的構成に限定されるものではなく、本発明の主旨を逸脱しない範囲で種々変形して実施することができる。
【符号の説明】
【００３５】
１０  タービン建屋
１１  高圧タービン
１２  低圧タービン
１３  発電機
１５  ＴＧペデスタル
１６  復水器
１７  ペデスタル梁部
１７Ａ  高圧タービン側ペデスタル梁部
１７Ｂ  低圧タービン側ペデスタル梁部
１７Ｃ  発電機側ペデスタル梁部
１８  ペデスタル脚部
２０  復水器下部本体
２０Ａ、２０Ｂ  復水器下部本体分割部
２１  復水器上部本体
２５  冷却管収容部
２６  ホットウェル
２７  冷却管
２９  汎用揚重機
【図１】
2013155714.tif 000003
【図２】
2013155714.tif 000004
【図３】
2013155714.tif 000005
【図４】
2013155714.tif 000006
【図５】
2013155714.tif 000007
【図６】
2013155714.tif 000008
【図７】
2013155714.tif 000009
【図８】
2013155714.tif 000010
【図９】
2013155714.tif 000011
【図１０】
2013155714.tif 000012
【図１１】
2013155714.tif 000013